(57)【特許請求の範囲】
【請求項１】
一対の基板間に電気光学物質が挟持されてなり、
前記一対の基板のうち少なくとも一方の基板上の前記電気光学物質側に設けられた表示用電極と、
前記一対の基板のうち一方の基板上における前記電気光学物質側に設けられており画素毎に所定波長範囲内の光を選択的に反射する選択反射領域及び画素毎に前記所定波長範囲内外の光を透過する光透過領域を有する第１カラーフィルタと、
該第１カラーフィルタの前記電気光学物質と反対側において前記選択反射領域に対向配置された遮光膜と、
前記第１カラーフィルタの前記電気光学物質と反対側において前記光透過領域に対向配置されており画素毎に前記所定波長範囲内の光を選択的に透過する選択透過領域を有する第２カラーフィルタと、
前記第２カラーフィルタの前記電気光学物質と反対側に設けられた光源手段と
を備えており、
前記一対の基板のうち前記電気光学物質を介して前記第１カラーフィルタと対向する側の基板は、透明基板からなることを特徴とする半透過反射型電気光学装置。
【請求項２】
前記第１カラーフィルタは、画素毎に前記選択反射領域に設けられた選択反射層を備え、
前記光透過領域では、前記選択反射層が局所的に欠如していることを特徴とする請求項１に記載の半透過反射型電気光学装置。
【請求項３】
前記選択反射層には、前記光透過領域に孔又はスリットが開けられていることを特徴とする請求項２に記載の半透過反射型電気光学装置。
【請求項４】
相隣接する選択反射層間に隙間が空けられており、該隙間が前記光透過領域とされていることを特徴とする請求項２に記載の半透過反射型電気光学装置。
【請求項５】
前記表示用電極は、
前記第１カラーフィルタの前記電気光学物質側に配置されたストライプ状の一の透明電極と、
該一の透明電極と前記電気光学物質を介して対向配置されると共に前記一の透明電極と相交差するストライプ状の他の透明電極と
を含むことを特徴とする請求項１から４のいずれか一項に記載の半透過反射型電気光学装置。
【請求項６】
前記表示用電極は、
前記第１カラーフィルタの前記電気光学物質側に配置されると共に画素毎に島状に設けられた一の透明電極と、
該一の透明電極と前記電気光学物質を介して対向配置される他の透明電極と
を含むことを特徴とする請求項１から４のいずれか一項に記載の半透過反射型電気光学装置。
【請求項７】
前記表示用電極は、
前記第１カラーフィルタと前記電気光学物質を介して対向配置されると共に画素毎に島状に設けられた一の透明電極と、
該一の透明電極と前記電気光学物質を介して対向配置される他の透明電極と
を含むことを特徴とする請求項１から４のいずれか一項に記載の半透過反射型電気光学装置。
【請求項８】
画素毎に前記一の透明電極に接続されたスイッチング素子を更に備えたことを特徴とする請求項６又は７に記載の半透過反射型電気光学装置。
【請求項９】
前記第２カラーフィルタは、前記一方の基板の前記電気光学物質側に設けられたことを特徴とする請求項１から８のいずれか一項に記載の半透過反射型電気光学装置。
【請求項１０】
前記第２カラーフィルタは、前記一方の基板の前記電気光学物質と反対側に設けられたことを特徴とする請求項１から８のいずれか一項に記載の半透過反射型電気光学装置。
【請求項１１】
前記光源手段は、前記第２カラーフィルタの前記電気光学物質と反対側において前記第２カラーフィルタに対向配置された導光板と、前記導光板に光を入射する光源とを含むことを特徴とする請求項１から１０のいずれか一項に記載の半透過反射型電気光学装置。
【請求項１２】
前記光源手段は、前記第２カラーフィルタの前記電気光学物質と反対側において前記第２カラーフィルタを介して前記光透過領域に夫々対向配置された複数の点光源を含むことを特徴とする請求項１から１０のいずれか一項に記載の半透過反射型電気光学装置。
【請求項１３】
前記第１カラーフィルタの前記電気光学物質と反対側において前記光透過領域に夫々対向配置された複数のマイクロレンズを更に備えたことを特徴とする請求項１から１２のいずれか一項に記載の半透過反射型電気光学装置。
【請求項１４】
前記遮光膜は、前記第１カラーフィルタと前記第２カラーフィルタとの間に挟持されていることを特徴とする請求項１から１３のいずれか一項に記載の半透過反射型電気光学装置。
【請求項１５】
請求項１から１４のいずれか一項に記載の半透過反射型電気光学装置を具備することを特徴とする電子機器。
【発明の詳細な説明】
【０００１】
【発明の属する技術分野】
本発明は、外光を用いた反射型表示と光源光を用いた透過型表示とを切り替え可能な半透過反射型電気光学装置及びそのような装置を備えた電子機器の技術分野に属する。
【０００２】
【背景技術】
半透過反射型液晶装置等の半透過反射型電気光学装置では、明所において光源がオフにされて外光を用いた反射型表示が行われ、暗所において光源がオンされて光源光を用いた透過型表示が行われる。より具体的には、外部からの外光を、光透過用のスリット等が開けられた半透過反射膜のうちスリット等を除く部分によって、液晶層等の電気光学物質層を介して反射することで、反射型表示が行なわれる。他方、半透過反射膜の裏側から来る光源光を、スリット等を介して透過し、更に液晶層等の電気光学物質層を介して外部へ出射することで、透過型表示が行なわれる。この種の半透過反射型電気光学装置は、電源節約の要請が強いと共に暗所で適宜使用することもある、携帯電話等の携帯型電子機器用の表示装置などとして既に普及している。
【０００３】
他方、樹脂材料を染料や顔料で着色したカラーフィルタ（本願明細書では適宜「選択透過型カラーフィルタ」と称す）を用いることでカラー表示を行なう、カラー反射型電気光学装置も開発されている。但し、このようなカラーフィルタは、画素毎に所定波長範囲内の光を選択的に透過させると共にこの範囲外の光を選択的に吸収するように構成されているので、基本的に光の利用効率が低い。従って、限られた光強度しか持たない外光に基づいて、このような選択透過型カラーフィルタを用いてカラー反射型表示を行なうと、一般に暗くなってしまう。そこで、明るいカラー反射型表示を行なうべく、所定波長範囲の光を選択的に透過させる方式ではなく、選択的に反射する方式も開発されている。例えば、特開平８−３０４６２６号公報、特開平９−１４６０８８号公報、特開２０００−２３１０９７号公報等には、コレステリック液晶、ポリマー膜等を用いて所定波長範囲の光を選択的に反射する方式のカラーフィルタ（本願明細書では適宜「選択反射型カラーフィルタ」と称す）が開示されている。これらの技術によれば、外光の利用効率を高めることで、明るいカラー反射型表示が可能となる。
【０００４】
【発明が解決しようとする課題】
しかしながら、上述した選択反射型カラーフィルタを、前述の半透過反射型電気光学装置に応用した場合、明るい反射型表示は可能となるものの、透過型表示の際に、光源光のうち選択反射型カラーフィルタを選択的に透過する光、即ち、選択的に反射する光の色に対する補色の光が光源光として選択反射型カラーフィルタを透過した後に、外部に出射されることになる。即ち、透過型表示時には、反射型表示に対して補色表示となってしまう。従って、カラー反射型表示における色合いが正常となるように装置を構成すると、カラー透過型表示における色合いが異常となってしまうという問題点がある。
【０００５】
以上の結果、上述したいずれの技術によっても、正常な色合いのカラー表示を行えるようにすることと、半透過反射型電気光学装置において明るいカラー反射型表示を行えるようにすることとが両立し得ないという解決困難な問題点がある。
【０００６】
本発明は上記問題点に鑑みなされたものであり、正常な色合いのカラー透過型表示が可能であり、しかも明るいカラー反射型表示が可能な半透過反射型電気光学装置及びこれを具備する電子機器を提供することを課題とする。
【０００７】
【課題を解決するための手段】
本発明の半透過反射型電気光学装置は上記課題を解決するために、一対の基板間に電気光学物質が挟持されてなり、前記一対の基板のうち少なくとも一方の基板上の前記電気光学物質側に設けられた表示用電極と、前記一対の基板のうち一方の基板上における前記電気光学物質側に設けられており画素毎に所定波長範囲内の光を選択的に反射する選択反射領域及び画素毎に前記所定波長範囲内外の光を透過する光透過領域を有する第１カラーフィルタと、該第１カラーフィルタの前記電気光学物質と反対側において前記選択反射領域に対向配置された遮光膜と、前記第１カラーフィルタの前記電気光学物質と反対側において前記光透過領域に対向配置されており画素毎に前記所定波長範囲内の光を選択的に透過する選択透過領域を有する第２カラーフィルタと、前記第２カラーフィルタの前記電気光学物質と反対側に設けられた光源手段とを備えており、前記一対の基板のうち前記電気光学物質を介して前記第１カラーフィルタと対向する側の基板は、透明基板からなる。
【０００８】
本発明の半透過反射型電気光学装置によれば、明所における反射型表示を行う場合には、光源手段をオフ状態、即ち光源光を出射しない状態とする。この状態で、透明基板側から入射される外光が電気光学物質を介して第１カラーフィルタの選択反射領域で反射され、透明基板側から出射される。この際、第１カラーフィルタは、画素毎に、例えばＲ（赤色）、Ｇ（緑色）、Ｂ（青色）別など、所定波長範囲内の光を選択的に反射する。このような第１カラーフィルタは、公知のコレステリック型液晶、ホログラム、ダイクロイックミラー等からなる。従って、例えば透明基板に偏光板を重ねて配置すれば、基板に設けられた表示用電極で液晶等の電気光学物質を駆動することにより、透明基板側を表示画面として、外光に基づいて、例えばＲＧＢカラーなどの複数色の反射型表示を行える。
【０００９】
他方、暗所における透過型表示を行う場合には、光源手段をオン状態、即ち光源光を出射する状態とする。この状態で、光源手段から出射される光源光が第２カラーフィルタの選択透過領域を透過し、これに相前後して遮光膜の設けられていない個所を透過した後に、第２カラーフィルタの光透過領域を透過し、更に電気光学物質を介して透明基板側から出射される。この際、第２カラーフィルタは、画素毎に、例えばＲ、Ｇ、Ｂ別など、所定波長範囲内の光を選択的に透過する。このような第２カラーフィルタは、樹脂材料を染料や顔料で着色した公知のカラーフィルタ等からなる。従って、例えば基板に偏光板を夫々重ねて配置すれば、基板に設けられた表示用電極で液晶等の電気光学物質を駆動することにより、透明基板側を表示画面として、光源光に基づいて、例えばＲＧＢカラーなどの複数色の透過型表示を行える。
【００１０】
ここで、透過型表示時にも第１カラーフィルタを用いてカラー表示を行う場合、即ち、上述の如き本発明の構成において第２カラーフィルタや遮光膜を設けることなく且つ第１カラーフィルタに光透過領域も存在しない場合を仮定する。すると、光源光のうち第１カラーフィルタを選択的に透過した光が透明基板側から出射されることになるので、透過型表示では、反射型表示に対して画素毎に補色が表示されることになってしまう。これに対して、本発明では第２カラーフィルタや遮光膜を設け且つ第１カラーフィルタに光透過領域も存在するので、透過型表示時には、第２カラーフィルタを透過した光が第１カラーフィルタの光透過領域を素通りして透明基板側から出射されることになるので、反射型表示に対して画素毎に補色が表示されることはないのである。
【００１１】
このような本発明における表示用電極は、駆動方式に応じて、一対の基板の両方又は片方に設けられる。例えば、パッシブマトリクス駆動であれば、相交差するストライプ状の電極が対向するように基板の両方に設けられる。ＴＦＤ（Thin Film Diode：薄膜ダイオード）アクティブマトリクス駆動であれば、島状の画素電極とストライプ状の電極とが対向するように基板の両方に設けられる。ＴＦＴ（Thin Film Transistor：薄膜トランジスタ）アクティブマトリクス駆動であれば、島状の画素電極と一面に形成された対向電極とが対向するように基板の両方に設けられる。或いは、例えば横電界駆動方式のＴＦＴアクティブマトリクス駆動であれば、いずれか一方の基板に島状の画素電極がマトリクス状に配列される。また、偏光板の配置方法についても、液晶等の電気光学物質の配置状態に応じて各種態様が考えられ、加えて色補正用の位相差板を偏光板に重ねて配置してもよい。
【００１２】
尚、上述した本発明の構成においては、透明基板に対向する側の他の基板は、透明基板でよいが、該他の基板の電気光学物質側に、第１カラーフィルタ、遮光膜、第２カラーフィルタ及び光源手段を配置する構成を採用すれば、該他の基板については、透明基板である必要はない。
【００１３】
以上の結果、本発明の半透過反射型電気光学装置によれば、明所では、選択反射方式の第１カラーフィルタにより、光の利用効率が高く、よって明るいカラー反射型表示が可能となる。暗所では、第１カラーフィルタの存在に関係なく、第２カラーフィルタにより、画素毎にカラー反射型表示時と同じように色付けされたカラー透過型表示が可能となる。
【００１４】
本発明の半透過反射型電気光学装置の一態様では、前記第１カラーフィルタは、画素毎に前記選択反射領域に設けられた選択反射層を備え、前記光透過領域では、前記選択反射層が局所的に欠如している。
【００１５】
この態様によれば、第１カラーフィルタにおける選択反射領域では、例えば公知のコレステリック型液晶、ホログラム、ダイクロイックミラー等からなる選択反射層によって、外光を反射することにより、明るいカラー反射型表示が可能となる。他方、第１カラーフィルタにおける光透過領域では、このような選択反射層が局所的に欠如しているので、光源光を素通りさせることにより、反射型表示と比べて補色表示でなく且つ明るい透過型表示が可能となる。
【００１６】
この態様では、前記選択反射層には、前記光透過領域に孔又はスリットが開けられているように構成してもよい。
【００１７】
このように構成すれば、規則的或いは不規則的に画素毎に１個或いは複数個開けた孔やスリットにより、比較的簡単且つ確実に光透過領域を用意できる。
【００１８】
或いはこの態様では、相隣接する選択反射層間に隙間が空けられており、該隙間が前記光透過領域とされているように構成してもよい。
【００１９】
このように構成すれば、各画素における開口領域（即ち、表示に寄与する光が反射又は透過する領域）の輪郭に対して、一回り小さい輪郭の選択反射層を設けることで、その隙間として比較的簡単且つ確実に光透過領域を用意できる。
【００２０】
本発明の半透過反射型電気光学装置の他の態様では、前記表示用電極は、前記第１カラーフィルタの前記電気光学物質側に配置されたストライプ状の一の透明電極と、該一の透明電極と前記電気光学物質を介して対向配置されると共に前記一の透明電極と相交差するストライプ状の他の透明電極とを含む。
【００２１】
この態様によれば、第１カラーフィルタの電気光学物質側には、例えばＩＴＯ（Indium Tin Oxide）膜等からなるストライプ状の一の透明電極が形成されている。これに対して、例えばＩＴＯ膜等からなるストライプ状の他の透明電極が、この一の透明電極と電気光学物質を介して対向配置される。即ち、この場合には、一の透明電極は、光源手段が設けられた側の基板に設けられ、他の透明電極は、外光が入射する側の透明基板に設けられる。従って、パッシブマトリクス駆動方式の半透過反射型電気光学装置を実現できる。
【００２２】
或いは本発明の半透過反射型電気光学装置の他の態様では、前記表示用電極は、前記第１カラーフィルタの前記電気光学物質側に配置されると共に画素毎に島状に設けられた一の透明電極と、該一の透明電極と前記電気光学物質を介して対向配置される他の透明電極とを含む。
【００２３】
この態様によれば、第１カラーフィルタの電気光学物質側には、例えばＩＴＯ膜等からなる島状の一の透明電極、即ち画素電極が形成されている。これに対して、例えばＩＴＯ膜等からなる透明電極、即ち基板一面に形成又はストライプ状に形成された対向電極が、この一の透明電極と電気光学物質を介して対向配置される。即ち、この場合には、画素電極は、光源手段が設けられた側の基板に設けられ、対向電極は、外光が入射する側の透明基板に設けられる。従って、アクティブマトリクス駆動方式が可能となる。
【００２４】
或いは本発明の半透過反射型電気光学装置の他の態様では、前記表示用電極は、前記第１カラーフィルタと前記電気光学物質を介して対向配置されると共に画素毎に島状に設けられた一の透明電極と、該一の透明電極と前記電気光学物質を介して対向配置される他の透明電極とを含む。
【００２５】
この態様によれば、例えばＩＴＯ膜等からなる島状の一の透明電極、即ち画素電極が第１カラーフィルタと電気光学物質を介して対向配置される。これに対して、例えばＩＴＯ膜等からなる透明電極、即ち基板一面に形成又はストライプ状に形成された対向電極が、この一の透明電極と電気光学物質を介して対向配置される。即ち、この場合には、画素電極は、外光が入射する側の透明基板に設けられ、対向電極は、光源手段が設けられた側の基板に設けられる。従って、アクティブマトリクス駆動方式が可能となる。
【００２６】
これらの表示用電極が島状の一の透明電極を含む態様では、画素毎に前記一の透明電極に接続されたスイッチング素子を更に備えてもよい。
【００２７】
このように構成すれば、ＴＦＴ、ＴＦＤ等のスイッチング素子で、一の透明電極即ち画素電極をスイッチング駆動することにより、アクティブマトリクス駆動できる。
【００２８】
本発明の半透過反射型電気光学装置の他の態様では、前記第２カラーフィルタは、前記一方の基板の前記電気光学物質側に設けられている。
【００２９】
この態様によれば、一方の基板上における電気光学物質側に、この順に積層された第２カラーフィルタ及び第１カラーフィルタによって、透過型表示及び反射型表示を夫々行える。
【００３０】
本発明の半透過反射型電気光学装置の他の態様では、前記第２カラーフィルタは、前記一方の基板の前記電気光学物質と反対側に設けられている。
【００３１】
この態様によれば、一方の基板上における電気光学物質と反対側に設けられた第２カラーフィルタ及び一方の基板上における電気光学物質側に設けられた第１カラーフィルタによって、透過型表示及び反射型表示を夫々行える。
【００３２】
本発明の半透過反射型電気光学装置の他の態様では、前記光源手段は、前記第２カラーフィルタの前記電気光学物質と反対側において前記第２カラーフィルタに対向配置された導光板と、前記導光板に光を入射する光源とを含む。
【００３３】
この態様によれば、暗所における透過型表示の際に、光源から光源光を出射して、導光板で第２カラーフィルタに導く。このように導かれた光源光は、第２カラーフィルタを選択的に透過し、更に第１カラーフィルタの光透過領域を素通りして電気光学物質を介して透明基板から出射されるので、反射型表示と比べて補色表示でなく且つ明るい透過型表示が可能となる。
【００３４】
或いは本発明の半透過反射型電気光学装置の他の態様では、前記光源手段は、前記第２カラーフィルタの前記電気光学物質と反対側において前記第２カラーフィルタを介して前記光透過領域に夫々対向配置された複数の点光源を含む。
【００３５】
この態様によれば、暗所における透過型表示の際に、光源から光源光を第１カラーフィルタの光透過領域に向けて出射する。この光源光は、第２カラーフィルタを選択的に透過し、更に第１カラーフィルタの光透過領域を素通りして電気光学物質を介して透明基板から出射される。従って、遮光膜で遮られる無駄な光源光が殆ど存在しないので、光源におけるエネルギー効率が高く且つ明るい透過型表示が可能となる。
【００３６】
本発明の半透過反射型電気光学装置の他の態様では、前記第１カラーフィルタの前記電気光学物質と反対側において前記光透過領域に夫々対向配置された複数のマイクロレンズを更に備える。
【００３７】
この態様によれば、暗所における透過型表示の際に、光源から出射された光源光は、第２カラーフィルタを透過するのに相前後して、マイクロレンズにより第１カラーフィルタの光透過領域に集光される。この光源光は、第１カラーフィルタの光透過領域を素通りして電気光学物質を介して透明基板から出射される。従って、遮光膜で遮られる無駄な光源光が少ないので、光源におけるエネルギー効率が高く且つ明るい透過型表示が可能となる。
【００３８】
本発明の半透過反射型電気光学装置の他の態様では、前記遮光膜は、前記第１カラーフィルタと前記第２カラーフィルタとの間に挟持されている。
【００３９】
この態様によれば、第１カラーフィルタと第２カラーフィルタとの間に挟持された遮光膜により、透過型表示の際に光源光が第１カラーフィルタの選択反射領域を選択的に透過することを防止でき、即ち反射型表示と比べて補色表示を構成する光源光の発生を防止できる。但し、このような遮光膜は、第２カラーフィルタと同一層内に設けられてもよいし、第２カラーフィルタの第１カラーフィルタと反対側に設けられてもよい。
【００４０】
本発明の電子機器は上記課題を解決するために、上述した本発明の半透過反射型電気光学装置（但し、その各種態様を含む）を具備する。
【００４１】
本発明の電子機器によれば、上述した本発明の電気光学装置を具備するので、明るい反射型表示及び透過型表示が可能な、液晶テレビ、携帯電話、電子手帳、ワードプロセッサ、ビューファインダ型又はモニタ直視型のビデオテープレコーダ、ワークステーション、テレビ電話、ＰＯＳ端末、タッチパネル、投射型表示装置などの各種電子機器を実現できる。
【００４２】
本発明のこのような作用及び他の利得は次に説明する実施の形態から明らかにされる。
【００４３】
【発明の実施の形態】
以下、本発明の実施形態を図面に基づいて説明する。以下の実施形態は、本発明の半透過反射型電気光学装置を半透過反射型液晶装置に適用したものである。（第１実施形態）
本発明の第１実施形態について、図１から図４を参照して説明する。第１実施形態は、本発明をパッシブマトリクス駆動方式の半透過反射型液晶装置に適用したものである。図１は、第１実施形態の半透過反射型液晶装置を第１基板上に形成されるカラーフィルタ、遮光膜等を便宜上取り除いて第２基板側から見た様子を示す図式的平面図であり、図２は、図１のＡ−Ａ’断面をカラーフィルタ、遮光膜等を含めて示す半透過反射型液晶装置の図式的断面図であり、図３は、図２における選択反射型カラーフィルタ、選択透過型カラーフィルタ及び遮光膜に係る部分を拡大して示す図式的拡大断面図である。図４は、選択反射型カラーフィルタに開けられるスリットや開口部に係る各種具体例を示す拡大平面図である。尚、図１では、説明の便宜上ストライプ状電極を縦横６本づつ図式的に示しているが実際には、多数本の電極が存在しており、図２及び図３においては、各層や各部材を図面上で認識可能な程度の大きさとするため、各層や各部材毎に縮尺を異ならしめてある。
【００４４】
図１及び図２において、第１実施形態における半透過反射型液晶装置は、透明の第１基板１０と、第１基板１０に対向配置された透明の第２基板２０と、第１基板１０及び第２基板２０間に挟持された液晶層５０と、第１基板１０の第２基板２０に対向する側（即ち、図２で上側表面）に配置された複数のストライプ状の透明電極１４と、透明電極１４上に配置された配向膜１５とを備える。半透過反射型液晶装置は、第２基板２０上の第１基板１０に対向する側（即ち、図２で下側表面）に透明電極１４と相交差するように配置された複数のストライプ状の透明電極２１と、透明電極２１上に配置された配向膜２５とを備える。半透過反射型液晶装置は更に、第１基板１０の液晶層５０と反対側に、偏光板１０７及び位相差板１０８を備えており、偏光板１０７の外側には、蛍光管１１９と蛍光管１１９からの光を偏光板１０７から液晶パネル内に導くための導光板１１８とを備える。第１基板１０及び第２基板２０は、液晶層５０の周囲において、シール材３１により貼り合わされており、液晶層５０は、シール材３１及び封止材３２により、第１基板１０及び第２基板２０間に封入されている。更に半透過反射型液晶装置は、第２基板２０の液晶層５０と反対側に、偏光板１０５、第１位相差板１０６及び第２位相差板１１６を備えて構成されている。
【００４５】
第１基板１０及び第２基板２０は、可視光に対して透明或いは少なくとも半透明であることが要求されており、例えばガラス基板や石英基板等からなる。
【００４６】
透明電極１４及び透明電極２１は夫々、例えばＩＴＯ膜などの透明導電性薄膜からなる。
【００４７】
配向膜１５及び２５は夫々、ポリイミド薄膜などの有機薄膜からなり、スピンコート又はフレキソ印刷により形成され、ラビング処理等の所定の配向処理が施されている。
【００４８】
液晶層５０は、透明電極１４及び透明電極２１間で電界が印加されていない状態で配向膜１５及び２５により所定の配向状態をとる。液晶層５０は、例えば一種又は数種類のネマティック液晶を混合したＳＴＮ（Super Twisted Nematic）液晶からなる。
【００４９】
シール材３１は、例えば光硬化性樹脂や熱硬化性樹脂からなる接着剤である。
【００５０】
封止材３２は、シール材３１の注入口を介して液晶を真空注入した後に、当該注入口を封止する樹脂性接着剤等からなる。
【００５１】
導光板１１８は、裏面全体に散乱用の粗面が形成され、或いは散乱用の印刷層が形成されたアクリル樹脂板などの透明体であり、光源である蛍光管１１９の光を端面にて受けて、図の上面からほぼ均一な光を放出するようになっている。
【００５２】
本実施形態では特に、第１基板１０上における透明電極１４の下側に、画素毎に所定形状のスリット或いは開口部が開けられていると共に所定波長範囲内の光を選択的に反射する選択反射型カラーフィルタ１４１と、所定波長範囲内の光を選択的に透過する選択透過型カラーフィルタ１４２とが形成されている。そして、これら選択反射型カラーフィルタ１４１と選択透過型カラーフィルタ１４２との間には、スリットが設けられた遮光膜１４３が形成されている。
【００５３】
図３に拡大して示すように、第１カラーフィルタの一例たる選択反射型カラーフィルタ１４１は、画素毎にＲ光を反射すると共にＧ光及びＢ光を透過する選択反射層１４１Ｒ、Ｇ光を反射すると共にＲ光及びＢ光を透過する選択反射層１４１Ｇ、及びＢ光を反射すると共にＲ光及びＧ光を透過する選択反射層１４１Ｂを有する。このような選択反射層１４１Ｒ、１４１Ｇ及び１４１Ｂは、公知のコレステリック型液晶、ホログラム、ダイクロイックミラー等からなる。他方、第２カラーフィルタの一例たる選択透過型カラーフィルタ１４２は、画素毎にＲ光を透過すると共にＧ光及びＢ光を吸収する選択透過層１４２Ｒ、Ｇ光を透過すると共にＲ光及びＢ光を吸収する選択透過層１４２Ｇ、及びＢ光を透過すると共にＲ光及びＧ光を吸収する選択透過層１４２Ｂを有する。このような選択透過層１４２Ｒ、１４２Ｇ及び１４２Ｂは、公知の樹脂材料を染料や顔料で着色して構成されている。
【００５４】
選択反射層１４１Ｒ、１４１Ｇ及び１４１Ｂには、夫々所定系所のスリット１４１ｈ或いは開口部が開けられている。このスリット１４１ｈは、遮光膜１４３にも連続して開けられている。他方、選択透過層１４２Ｒ、１４２Ｇ及び１４２Ｂは、このスリット１４１ｈに対向する領域に設けられており、選択透過型カラーフィルタ１４２におけるその他の部分は、平坦化膜１４２ｆからなる。
【００５５】
ここで選択反射層１４１Ｒ、１４１Ｇ及び１４１Ｂに開けられるスリット１４１ｈ或いは開口部の各種具体例について図４を参照して説明する。
【００５６】
図４（ａ）に示すように、各画素毎に４つの矩形スロットを４方に配置してもよいし、図４（ｂ）に示すように各画素毎に５つの矩形スロットを横並びに配置してもよいし、図４（ｃ）示すように各画素毎に多数の円形開口（例えば、２μｍ径の開口）を離散配置してもよいし、図４（ｄ）示すように各画素毎に１つの比較的大きな矩形スロットを配置してもよい。このような開口部は、レジストを用いたフォト工程／現像工程／剥離工程で容易に作製することができる。開口部の平面形状は図示のほかにも、正方形でもよいし、或いは、多角形、楕円形、不規則形でもよいし、複数の画素に跨って延びるスリット状でもよい。また、選択反射層１４１Ｒ、１４１Ｇ及び１４１Ｂをパターニングするときに同時に開口部を開けることも可能であり、このようにすれば製造工程数を増やさず済む。特に、図４（ａ）、（ｂ）又は（ｄ）に示した如きスリットの場合、スリットの幅は、好ましくは約３〜２０μｍとされる。このように構成すれば、反射型表示時にも透過型表示時にも、明るく高コントラストな表示が可能となる。尚、このようなスリット或いは開口部を設ける以外に、例えば、相隣接する選択反射層１４１Ｒ、１４１Ｇ及び１４１Ｂの間隙を光が透過可能なように第２基板２０に垂直な方向から平面的に見て相互に分断された選択反射層１４１Ｒ、１４１Ｇ及び１４１Ｂとしてもよい。
【００５７】
尚、選択透過型カラーフィルタ１４２を構成するＲＧＢ別の選択透過層選択透過層１４２Ｒ、１４２Ｇ及び１４２Ｂは、デルタ配列、ストライプ配列、モザイク配列、トライアングル配列等で配列される。
【００５８】
尚、図１及び図２では省略しているが、シール材５２の内側に並行して、例えば遮光膜１４３と同じ或いは異なる材料から成る画像表示領域の周辺を規定する額縁としての遮光膜が設けられてもよい。或いはこのような額縁は、半透過反射型液晶装置を入れる遮光性のケースの縁により規定してもよい。
【００５９】
次に、以上の如く構成された第１実施形態の半透過反射型液晶装置の動作について図３を参照して説明する。第１実施形態の半透過反射型液晶装置は、例えばノーマリーブラックモードのパッシブマトリクス駆動方式により駆動される。
【００６０】
まず、反射型表示について説明する。
【００６１】
この場合には、図２及び図３において、偏光板１０５の側（即ち、図２で上側）から外光Ｌ１（図３参照）が入射すると、偏光板１０５、透明な第２基板２０及び液晶層５０を介して第１基板１０上に設けられた選択反射型カラーフィルタ１４１により反射され、所定色に着色された反射光Ｌ２（図３参照）として、再び液晶層５０、第２基板２０及び偏光板１０５を介して偏光板１０５側から出射される。ここで、外部回路から透明電極１４及び透明電極２１に、画像信号及び走査信号を所定タイミングで供給すれば、透明極１４及び透明電極２１が交差する個所における液晶層５０部分には、行毎又は列毎若しくは画素毎に電界が順次印加される。従って、この印加電圧により液晶層５０の配向状態を各画素単位で制御することにより、偏光板１０５を透過する光量を変調し、カラーの階調表示が可能となる。
【００６２】
次に透過型表示について説明する。
【００６３】
この場合には、図２及び図３において第１基板１０の下側から偏光板１０７を介して光源光Ｌ３（図３参照）が入射すると、選択透過型カラーフィルタ１４１及びスリット１４１ｈを透過し、所定色に着色された透過光Ｌ４として、液晶層５０、第２基板２０及び偏光板１０５を介して偏光板１０５側から出射される。ここで、外部回路から透明電極１４及び透明電極２１に、画像信号及び走査信号を所定タイミングで供給すれば、透明電極１４及び透明電極２１が交差する個所における液晶層５０部分には、行毎又は列毎若しくは画素毎に電界が順次印加される。これにより液晶層５０の配向状態を各画素単位で制御することにより、光源光を変調し、階調表示が可能となる。
【００６４】
以上の結果、第１実施形態によれば、透過型表示の際に、反射型表示に対して画素毎に補色が表示されることはなく、反射型表示時に選択反射型カラーフィルタ１４１によって正常な色合いのカラー表示を行えるように装置構成すれば、透過型表示時にも、選択透過型カラーフィルタ１４２によって正常な色合いのカラー表示を行える。しかも、限られた光強度しか持たない外光を利用する反射型表示時に、伝統的な選択透過型カラーフィルタではなく、選択反射型カラーフィルタ１４１を用いるので、明るい反射型表示を行なうことができる。
【００６５】
（第２実施形態）
次に、本発明の第２実施形態について、図５を参照して説明する。ここに図５は、第２実施形態の構成を示す断面図であるが、図２に示した第１実施形態と同様の構成要素については同様の参照符号を付し、その説明は適宜省略する。
【００６６】
図５に示すように、第２実施形態では、第１実施形態の構成と異なり、選択透過型カラーフィルタ１４２及び遮光膜１４３が第１基板１０の液晶層５０と反対側に設けられている。その他の構成については第１実施形態の場合と同様である。
第２実施形態によれば、第１基板１０上における液晶層５０と反対側に設けられた選択透過型カラーフィルタ１４２及び第１基板１０上における液晶層５０側に設けられた選択反射型カラーフィルタ１４１によって、透過型表示及び反射型表示を夫々行える。
【００６７】
（第３実施形態）
次に、本発明の第３実施形態について、図６を参照して説明する。ここに図６は、第３実施形態の構成を示す断面図であるが、図２に示した第１実施形態と同様の構成要素については同様の参照符号を付し、その説明は適宜省略する。
【００６８】
図６に示すように、第３実施形態では、第１実施形態の構成と異なり、導光板１１８及び蛍光管１１９に代えて、ＬＥＤ（Light Emitting Diode）、ＥＬ（Electro-Luminescence）等からなる複数の点光源１２０が、選択反射型カラーフィルタ１４１のスリット１４１ｈに対向する位置、即ち選択透過型カラーフィルタ１４２の選択透過層１４２Ｒ、１４２Ｇ及び１４２Ｂに対向する位置に点在して設けられている。その他の構成については第１実施形態の場合と同様である。
第２実施形態によれば、点光源１２０からは、遮光膜１４３で遮られる無駄な光源光が殆ど出射されない。従って、光源におけるエネルギ効率が高くなり、同一消費電力では、より一層明るい透過型表示が可能となる。
【００６９】
（第４実施形態）
次に、本発明の第４実施形態について、図７を参照して説明する。ここに図７は、第４実施形態の構成を示す断面図であるが、図２に示した第１実施形態と同様の構成要素については同様の参照符号を付し、その説明は適宜省略する。
【００７０】
図７に示すように、第４実施形態では、第１実施形態の構成に加えて、導光板１１８上に複数のマイクロレンズ１２１が、選択反射型カラーフィルタ１４１のスリット１４１ｈに対向する位置、即ち選択透過型カラーフィルタ１４２の選択透過層１４２Ｒ、１４２Ｇ及び１４２Ｂに対向する位置に設けられている。その他の構成については第１実施形態の場合と同様である。
第４実施形態によれば、導光板１１８から出射される光源光は、マイクロレンズ１２１で集光されるので、遮光膜１４３で遮られる無駄な光源光が低減される。従って、光源におけるエネルギ効率が高くなり、同一消費電力では、より一層明るい透過型表示が可能となる。
【００７１】
（第５実施形態）
次に、本発明の第５実施形態について、図８から図１１を参照して説明する。第５実施形態は、本発明をＴＦＤアクティブマトリクス駆動方式の半透過反射型電気光学装置に適用したものである。ここに図８は、第５実施形態の半透過反射型電気光学装置における液晶素子及び駆動回路と共に示した等価回路図であり、図９は、図８に示したＴＦＤ駆動素子の一具体例を画素電極等と共に模式的に示す平面図であり、図１０は、図９のＢ−Ｂ’断面図である。また、図１１は、第５実施形態の半透過反射型電気光学装置の全体構造を示す図式的断面図である。尚、図１１では、説明の便宜上画素電極を６個だけ図式的に示しているが実際には、多数個の画素電極が存在しており、図１０及び図１１においては、各層や各部材を図面上で認識可能な程度の大きさとするため、各層や各部材毎に縮尺を異ならしめてある。
【００７２】
先ず、ＴＦＤアクティブマトリクス駆動方式の反射型液晶装置の構成及び動作について図８を参照して説明する。
【００７３】
図８において、ＴＦＤアクティブマトリクス駆動方式の液晶装置は、第２基板上に配列された複数の走査線３ｂが、走査線駆動回路１００に接続されており、第１基板上に配列された複数のデータ線６ｂが、データ線駆動回路１１０に接続されている。尚、走査線駆動回路１００及びデータ線駆動回路１１０は、第２基板又は第１基板上に形成されてもよいし、外部ＩＣから構成され、所定の配線を経て走査線３ｂやデータ線６ｂに接続されてもよい。
【００７４】
マトリクス状の各画素領域において、走査線３ｂは、ＴＦＤ駆動素子４０の一方の端子に接続されており、データ線６ｂは、液晶層５０及び画素電極を介してＴＦＤ駆動素子４０の他方の端子に接続されている。
【００７５】
従って、各画素領域に対応する走査線３ｂに走査信号が供給され、データ線６ｂにデータ信号が供給されると、当該画素領域におけるＴＦＤ駆動素子４０がオン状態となり、ＴＦＤ駆動素子４０を介して、画素電極及びデータ線６ｂ間にある液晶層５０に駆動電圧が印加される。
【００７６】
ここで図９及び図１０を参照して、このような画素スイッチング用のＴＦＴ駆動素子４０の一具体例を説明する。
【００７７】
図９及び図１０において、ＴＦＤ駆動素子４０は、ＴＦＤアレイ基板を構成する第２基板２０上に形成された第２絶縁膜１３を下地として、その上に形成されており、第２絶縁膜１３の側から順に第１金属膜４２、絶縁層４４及び第２金属膜４６から構成され、ＴＦＤ構造或いはＭＩＭ（Metal Insulator Metal）構造を持つ。そして、ＴＦＤ駆動素子４０の第１金属膜４２は、第２基板２０上に形成された走査線３ｂに接続されており、第２金属膜４６は、画素電極９ｂに接続されている。尚、走査線３ｂに代えてデータ線６ａを第２基板２０上に形成し、画素電極９ｂに接続して、走査線３ｂを第１基板１０側に設けてもよい。
【００７８】
第１基板２０は、例えばガラス、プラスチックなどの絶縁性及び透明性を有する基板或いは不透明な半導体基板等からなる。このように本実施形態では、第２絶縁膜１３は、ＴＦＤ駆動素子４０の下地膜としても機能するが、第２絶縁膜１３とは異なる下地膜専用の絶縁膜を酸化タンタル等から形成しても良いし、或いは、第２基板２０の表面状態に問題が無ければ、このような下地膜は省略することも可能である。第１金属膜４２は導電性の金属薄膜からなり、例えばタンタル単体又はタンタル合金からなる。絶縁膜４４は、例えば化成液中で第１金属膜４２の表面に陽極酸化により形成された酸化膜からなる。第２金属膜４６は導電性の金属薄膜からなり、例えばクロム単体又はクロム合金からなる。
【００７９】
更に、画素電極９ｂ、ＴＦＤ駆動素子４０、走査線３ｂ等の液晶に面する側には、第１絶縁膜１２が設けられており、その上に配向膜１５が設けられている。
【００８０】
以上、ＴＦＤ駆動素子の他に、ＺｎＯ（酸化亜鉛）バリスタ、ＭＳＩ（Metal  Semi-Insulator）駆動素子、ＲＤ（Ring  Diode）などの双方向ダイオード特性を有する２端子型非線形素子を本実施形態の半透過反射型液晶装置に適用可能である。
【００８１】
図１１に示すように、第５実施形態の半透過反射型電気光学装置は、第１実施形態の場合と比べて、第１基板１０上に、ストライプ状の透明電極１４に代えて、好ましくは短冊状の透明なデータ線６ｂを備える。更に、第２基板２０上に、透明のストライプ状の透明電極２１に代えて、透明の画素電極９ｂ及びこれに隣接してＴＦＤ駆動素子４０を備えて構成されている。そして、第２基板１０側には、ＴＦＤ駆動素子４０に接続されている、図８から図１０で説明した走査線３ｂ等が設けられている。その他の構成については、第１実施形態の場合と同様である。
【００８２】
第５実施形態によれば、第１基板１０上において透明電極としてのデータ線６ｂの下側に選択反射型カラーフィルタ１４１が設けられており、これに開けられたスリットに対向する位置に選択透過型カラーフィルタ１４２が設けられており且つこれらのフィルタ間にはスリットを除く領域に遮光膜１４３が形成されている。従って、外光を選択反射型カラーフィルタ１４１におけるスリットを除く領域で反射して、第２基板２０側から出射させることにより、ＴＦＤアクティブマトリクス駆動における反射型表示が可能となる。他方、蛍光管１１９をオンすれば、光源光を選択透過型フィルタ１４２及び選択反射型カラーフィルタ１４１のスリットを介して第２基板２０側から出射させることにより、ＴＦＤアクティブマトリクス駆動における透過型表示が可能となる。特に、ＴＦＤ駆動素子４０を介して各画素電極９ｂに電圧を供給するため、画素電極９ｂ間におけるクロストークを低減でき、より高品位の画像表示が可能となる。
（第６実施形態）
次に、本発明の第６実施形態について、図１２から図１４を参照して説明する。第６実施形態は、本発明をＴＦＴアクティブマトリクス駆動方式の半透過反射型電気光学装置に適用したものである。ここに図１２は、第６実施形態の電気光学装置の画像表示領域を構成するマトリクス状に形成された複数の画素における各種素子、配線等の等価回路であり、図１３は、画素スイッチング用のＴＦＴの断面構造を示す図式的断面図である。図１４は、第６実施形態の半透過反射型電気光学装置の全体構造を示す図式的断面図である。尚、図１４では、説明の便宜上画素電極を６個だけ図式的に示しているが実際には、多数個の画素電極が存在しており、図１３及び図１４においては、各層や各部材を図面上で認識可能な程度の大きさとするため、各層や各部材毎に縮尺を異ならしめてある。
【００８３】
図１において、本実施形態における電気光学装置の画像表示領域を構成するマトリクス状に形成された複数の画素には夫々、画素電極９ａと当該画素電極９aをスイッチング制御するためのＴＦＴ３０とが形成されており、画像信号が供給されるデータ線６ａが当該ＴＦＴ３０のソースに電気的に接続されている。データ線６ａに書き込む画像信号Ｓ１、Ｓ２、…、Ｓｎは、この順に線順次に供給しても構わないし、相隣接する複数のデータ線６ａ同士に対して、グループ毎に供給するようにしても良い。また、ＴＦＴ３０のゲートに走査線３ａが電気的に接続されており、所定のタイミングで、走査線３ａにパルス的に走査信号Ｇ１、Ｇ２、…、Ｇｍを、この順に線順次で印加するように構成されている。画素電極９ａは、ＴＦＴ３０のドレインに電気的に接続されており、スイッチング素子であるＴＦＴ３０を一定期間だけそのスイッチを閉じることにより、データ線６ａから供給される画像信号Ｓ１、Ｓ２、…、Ｓｎを所定のタイミングで書き込む。画素電極９ａを介して電気光学物質の一例としての液晶に書き込まれた所定レベルの画像信号Ｓ１、Ｓ２、…、Ｓｎは、対向基板（後述する）に形成された対向電極（後述する）との間で一定期間保持される。液晶は、印加される電圧レベルにより分子集合の配向や秩序が変化することにより、光を変調し、階調表示を可能にする。ノーマリーホワイトモードであれば、各画素の単位で印加された電圧に応じて入射光に対する透過率が減少し、ノーマリーブラックモードであれば、各画素の単位で印加された電圧に応じて入射光に対する透過率が増加され、全体として電気光学装置からは画像信号に応じたコントラストを持つ光が出射する。ここで、保持された画像信号がリークするのを防ぐために、画素電極９ａと対向電極との間に形成される液晶容量と並列に蓄積容量７０を付加する。蓄積容量７０は、容量線３００の一部からなる固定電位側容量電極と、ＴＦＴ３０のドレイン側及び画素電極に９ａに接続された画素電位側容量電極とを備える。
【００８４】
次に、図１２に示した画素スイッチング用のＴＦＴ３０の一具体例について図１３に示す。
【００８５】
図１３に示すように、ＴＦＴ３０は、チャネル領域１ａ’を有する半導体層１ａと、この上にゲート絶縁膜２を介して対向配置された走査線３ａの一部からなるゲート電極とを備える。また、容量線３００と半導体層１ａのドレイン領域の延設部がゲート絶縁膜２を介して対向配置されることにより蓄積容量７０が構築されている。そして、データ線６ａが、層間絶縁膜７１に開孔されたコンタクトホールを介して半導体層１ａのソース領域に接続されている。ＩＴＯ膜等からなる透明の画素電極９ａが、層間絶縁膜７２に開孔されたコンタクトホールを介して半導体層１ａのドレイン領域に接続されている。従って、走査線３ａに走査信号を供給すると、ＴＦＴ３０が導通状態となり、走査線６ａに供給される画像信号を画素電極９ａに書き込むことができ、更に蓄積容量により、この画素電極９ａに書き込まれた電圧を保持できる。
【００８６】
尚、図１３に示したＴＦＴ３０は、一例であり、ＬＤＤ（Lightly Doped Drain）構造のＴＦＴ、自己整合型ＴＦＴ、ダブルゲートのＴＦＴ等の各種のＴＦＴを図１２に示したＴＦＴ３０として採用可能であり、更に低温ポリシリコン膜、高温ポリシリコン膜、アモルファスシリコン膜等の各種のシリコン膜などを、半導体層１ａとして採用可能である。
【００８７】
図１４に示すように、第６実施形態の半透過反射型電気光学装置は、第１実施形態の場合と比べて、第１基板１０上に、ストライプ状の透明電極１４に代えて、画素毎に島状に設けられた透明の画素電極９ａを備えており、これに隣接してＴＦＴ３０が設けられている。更に、第２基板２０上に、透明のストライプ状の透明電極２１に代えて、基板の一面に形成された対向電極２１’を備えて構成されている。そして、第１基板１０側には、ＴＦＴ３０に接続されている、図１２及び図１３で説明した走査線３ａ、データ線６ａ、容量線３００等が設けられている。その他の構成については、第１実施形態の場合と同様である。尚、走査線３ａを駆動する走査線駆動回路、データ線６ａを駆動するデータ線駆動回路等の周辺回路を、第１基板１０上における周辺領域に作り込んでもよいし、該周辺回路に外付けしてもよい。
【００８８】
第６実施形態によれば、第１基板１０上において透明な画素電極９ａの下側に選択反射型カラーフィルタ１４１が設けられており、これに開けられたスリットに対向する位置に選択透過型カラーフィルタ１４２が設けられており且つこれらのフィルタ間にはスリットを除く領域に遮光膜１４３が形成されている。従って、外光を選択反射型カラーフィルタ１４１におけるスリットを除く領域で反射して、第２基板２０側から出射させることにより、ＴＦＴアクティブマトリクス駆動における反射型表示が可能となる。他方、蛍光管１１９をオンすれば、光源光を選択透過型フィルタ１４２及び選択反射型カラーフィルタ１４１のスリットを介して第２基板２０側から出射させることにより、ＴＦＴアクティブマトリクス駆動における透過型表示が可能となる。特に、ＴＦＴ３０を介して各画素電極９ａに電圧を供給するため、画素電極９ａ間におけるクロストークを低減でき、より高品位の画像表示が可能となる。
【００８９】
以上説明した第１から第６実施形態における選択透過型カラーフィルタ１４２を構成する選択透過層１４２Ｒ、１４２Ｇ及び１４２Ｂは、インクジェット方式により形成してもよいし、フレキソ印刷により形成してもよい。このように形成すれば、選択透過層１４２Ｒ、１４２Ｇ及び１４２Ｂを、選択反射型カラーフィルタ１４１のスリット１４１ｈに対向する領域にのみに比較的容易に形成できる。
【００９０】
また、以上説明した第１から第６実施形態では、第２基板２０側にカラーフィルタを設けていないが、第１基板１０側の選択反射型カラーフィルタ１４１及び選択透過型カラーフィルタ１４２に加えて、第２基板２０側に選択透過型カラーフィルタを設けることも可能である。
（第７実施形態）
次に、本発明の第７実施形態について、図１５を参照して説明する。第７実施形態は、上述した本発明の第１から第６実施形態の半透過反射型電気光学装置を適用した各種の電子機器からなる。
【００９１】
先ず、第１から第６実施形態における半透過反射型電気光学装置を、例えば図１５（ａ）に示すような携帯電話１０００の表示部１００１に適用すれば、明るいカラー反射型表示及びカラー透過型表示を切り替え可能な省エネルギ型の携帯電話を実現できる。
【００９２】
また、図１５（ｂ）に示すような腕時計１１００の表示部１１０１に適用すれば、明るいカラー反射型表示及びカラー透過型表示を切り替え可能な省エネルギ型の腕時計を実現できる。
【００９３】
更に、図１５（ｃ）に示すようなパーソナルコンピュータ（或いは、情報端末）１２００において、キーボード１２０２付きの本体１２０４に開閉自在に取り付けられるカバー内に設けられる表示画面１２０６に適用すれば、明るいカラー反射型表示及びカラー透過型表示を切り替え可能な省エネルギ型のパーソナルコンピュータを実現できる。
【００９４】
以上図１５に示した電子機器の他にも、液晶テレビ、ビューファインダ型又はモニタ直視型のビデオテープレコーダ、カーナビゲーション装置、電子手帳、電卓、ワードプロセッサ、エンジニアリング・ワークステーション（ＥＷＳ）、テレビ電話、ＰＯＳ端末、タッチパネルを備えた装置等などの電子機器にも、第１から第６実施形態の半透過反射型電気光学装置を適用可能である。
【００９５】
本発明は、上述した実施形態に限られるものではなく、請求の範囲及び明細書全体から読み取れる発明の要旨或いは思想に反しない範囲で適宜変更可能であり、そのような変更を伴なう電気光学装置及び電子機器もまた本発明の技術的範囲に含まれるものである。
【図面の簡単な説明】
【図１】本発明の第１実施形態であるパッシブマトリクス駆動方式の半透過反射型液晶装置を対向基板側から見た様子を示す図式的平面図である。
【図２】図１のＡ−Ａ’断面をカラーフィルタ等を含めて示す半透過反射型液晶装置の図式的断面図である。
【図３】図２における選択反射型カラーフィルタ、選択透過型カラーフィルタ及び遮光膜に係る部分を拡大して示す図式的拡大断面図である。
【図４】第１実施形態において選択反射型カラーフィルタに開けられるスリットや開口部に係る各種具体例を示す拡大平面図である。
【図５】本発明の第２実施形態であるパッシブマトリクス駆動方式の半透過反射型液晶装置の断面図である。
【図６】本発明の第３実施形態であるパッシブマトリクス駆動方式の半透過反射型液晶装置の断面図である。
【図７】本発明の第４実施形態であるパッシブマトリクス駆動方式の半透過反射型液晶装置の断面図である。
【図８】本発明の第５実施形態の半透過反射型電気光学装置における液晶素子及び駆動回路と共に示した等価回路図である。
【図９】図８に示したＴＦＤ駆動素子の一具体例を画素電極等と共に模式的に示す平面図である。
【図１０】図９のＢ−Ｂ’断面図である。
【図１１】本発明の第５実施形態の半透過反射型電気光学装置の全体構造を示す図式的断面図である。
【図１２】本発明の第６実施形態の電気光学装置の画像表示領域を構成するマトリクス状に形成された複数の画素における各種素子、配線等の等価回路である。
【図１３】第６実施形態に係る画素スイッチング用のＴＦＴの断面構造を示す図式的断面図である。
【図１４】第６実施形態の半透過反射型電気光学装置の全体構造を示す図式的断面図である。
【図１５】本発明の第７実施形態である各種電子機器の外観図である。
【符号の説明】
１０…第１基板
１４…透明電極
１５…配向膜
２０…第２基板
２１…透明電極
２５…配向膜
３１…シール材
３２…封止材
１０５…偏光板
１０６…第１位相差板
１１６…第２位相差板
１１８…導光板
１１９…蛍光管
１４１…選択反射型カラーフィルタ
１４１Ｒ…選択反射層
１４１Ｇ…選択反射層
１４１Ｂ…選択反射層
１４１ｈ…スリット
１４２…選択透過型カラーフィルタ
１４２Ｒ…選択透過層
１４２Ｇ…選択透過層
１４２Ｂ…選択透過層
１４３…遮光膜
【図１】
0003700611.tif 000002
【図２】
0003700611.tif 000003
【図３】
0003700611.tif 000004
【図４】
0003700611.tif 000005
【図５】
0003700611.tif 000006
【図６】
0003700611.tif 000007
【図７】
0003700611.tif 000008
【図８】
0003700611.tif 000009
【図９】
0003700611.tif 000010
【図１０】
0003700611.tif 000011
【図１１】
0003700611.tif 000012
【図１２】
0003700611.tif 000013
【図１３】
0003700611.tif 000014
【図１４】
0003700611.tif 000015
【図１５】
0003700611.tif 000016